(57)【要約】【課題】プリント基板の内側に実装された回路や電子部品への静電気の影響をより防ぐ構造を提供することを目的とする。【解決手段】電子部品が実装される実装面１２と、電子部品の周囲に形成されたグランドパターン５０と、実装面１２のグランドパターン５０内に電子部品と電気的に接続された信号線とを備えるプリント基板４０において、グランドパターン５０は、電子部品または信号線の少なくとも一方の周囲に形成されたグランドパターンの本線部５１と、グランドパターンの本線部５１から電子部品または信号線の少なくとも一方の側に向けて突起した第１突起部５２とを備えることを特徴とする。【選択図】図３
2010034420.tif 000002
【特許請求の範囲】
【請求項１】
電子部品が実装される実装面と、前記電子部品の周囲に形成されたグランドパターンと、前記実装面の前記グランドパターン内に前記電子部品と電気的に接続された信号線とを備えるプリント基板において、
前記グランドパターンは、前記電子部品または前記信号線の少なくとも一方の周囲に形成されたグランドパターンの本線部と、前記グランドパターンの本線部から前記電子部品または前記信号線の少なくとも一方の側に向けて突起した第１突起部とを備えることを特徴とするプリント基板。
【請求項２】
前記第１突起部は、前記電子部品または前記信号線の少なくとも一方の側に向けて細くなるような形状であることを特徴とする請求項１に記載のプリント基板。
【請求項３】
前記第１突起部は、互いに９０度以下で交差する一対の斜辺部を備えていることを特徴とする請求項２に記載のプリント基板。
【請求項４】
前記第１突起部は、前記グランドパターンの本線部から前記信号線に向けて配設され、前記信号線は、前記グランドパターンの本線部に沿う信号線の本線部と、前記信号線の本線部の前記第１突起部に対向する位置に突起した信号線の突起部とを備えることを特徴とする請求項１から３のうちいずれか一項に記載のプリント基板。
【請求項５】
前記第１突起部の前記電子部品または前記信号線の少なくとも一方が設けられた側に前記実装面から離間する方向に突起する第２突起部を備えることを特徴とする請求項１から４のうちいずれか一項に記載のプリント基板。
【請求項６】
請求項１から５のうちいずれか一項に記載のプリント基板を備えていることを特徴とする携帯端末。
【発明の詳細な説明】
【技術分野】
【０００１】
本発明は、プリント基板及び携帯端末に関する。
【背景技術】
【０００２】
従来、携帯電話機、ＰＨＳ（Ｐｅｒｓｏｎａｌ  Ｈａｎｄｙ-ｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｔｓ）、デジタルカメラ等の携帯可能な携帯端末において、プリント基板に静電気対策用として設けられるグランドパターンの開発が盛んに行われている。
【０００３】
グランドパターンはプリント基板の内側に実装された回路や電子部品を囲んで、プリント基板の外縁に設けられている。グランドパターン内に金メッキ接点パターンなどを有する場合は、金メッキリードをプリント基板の外側へ引き出す必要がある。プリント基板端面における金メッキリードの位置が、グランドパターンの位置よりも静電気が放電される位置に近い場合には、静電気はグランドパターンで吸収される以前に金メッキリードに放電されてしまい、回路や電子部品の誤動作や破壊などの原因となる。この対策として、プリント基板にアルミシートや導電性塗装を用いてグランドパターンに接続すること等があるが、プリント基板の製造に当たって面倒であり、経費の点でも不利益である。
【０００４】
このような問題点を解決するための技術が検討されており、例えば特許文献１は、極めて容易に経済的に製作するために、プリント基板の一方の表面の周辺に設けたグランドパターンの外側に複数本のヒゲ状グランドパターンを設けて、プリント基板の内側に実装された回路や電子部品への静電気の影響を未然に防ぐ技術を開示している。
【特許文献１】実公平６‐２５９７９号公報
【発明の開示】
【発明が解決しようとする課題】
【０００５】
しかしながら、特許文献１に開示された技術では、プリント基板の内側に実装された回路や電子部品の形状によっては、グランドパターンに静電気が放電するよりも回路や電子部品に放電する場合がある。特に、高さのあるものや立体的なものの場合は、グランドパターンよりもそちらに静電気が放電し易くなることが懸念される。
【０００６】
本発明は、上述した事情を鑑みたものであり、プリント基板の内側に実装された回路や電子部品への静電気の影響をより防ぐ構造を提供することを目的とする。
【課題を解決するための手段】
【０００７】
上記の課題を解決するため、本発明のプリント基板は、電子部品が実装される実装面と、前記電子部品の周囲に形成されたグランドパターンと、前記実装面の前記グランドパターン内に前記電子部品と電気的に接続された信号線とを備えるプリント基板において、前記グランドパターンは、前記電子部品または前記信号線の少なくとも一方の周囲に形成されたグランドパターンの本線部と、前記グランドパターンの本線部から前記電子部品または前記信号線の少なくとも一方の側に向けて突起した第１突起部とを備える、という手段を採用する。
【０００８】
本発明においては、前記第１突起部は、前記電子部品または前記信号線の少なくとも一方の側に向けて細くなるような形状である、という手段を採用する。
【０００９】
本発明においては、前記第１突起部は、互いに９０度以下で交差する一対の斜辺部を備えている、という手段を採用する。
【００１０】
本発明においては、前記第１突起部は、前記グランドパターンの本線部から前記信号線に向けて配設され、前記信号線は、前記グランドパターンの本線部に沿う信号線の本線部と、前記信号線の本線部の前記第１突起部に対向する位置に突起した信号線の突起部とを備える、という手段を採用する。
【００１１】
本発明においては、前記第１突起部の前記電子部品または前記信号線の少なくとも一方が設けられた側に前記実装面から離間する方向に突起する第２突起部を備える、という手段を採用する。
【００１２】
本発明の携帯端末は、前述した本発明のプリント基板を備えている、という手段を採用する。
【発明の効果】
【００１３】
本発明によれば、グランドパターンから電子部品または信号線に向けて突起した突起形状を備えているので、電子部品に近いところで突起形状から静電気を吸収することができる。したがって、プリント基板に実装された回路や電子部品への静電気の影響をより防ぐことが可能となる。
【発明を実施するための最良の形態】
【００１４】
以下、図面を参照して、本発明の一実施形態について説明する。ここで説明する実施形態は、この発明を携帯電話機に適用した場合のものである。図１は、本実施形態に係る携帯電話機（携帯端末）２０の外観を示す斜視図である。
【００１５】
携帯電話機２０は、互いに薄板形状の操作部２１及び表示部２２と、これらを連結するヒンジ部２３とから概略構成されている。
【００１６】
操作部２１は、テンキー等からなる操作ボタン２４が外部に露出し、操作部２１の一端部２１ａの側の内部に音声マイク２５が設けられている。
【００１７】
表示部２２は、操作ボタン２４の入力に応じて、その入力内容を表示するディスプレイ２６が外部に露出し、一端部２２ａ側の内部にスピーカ２７が設けられている。
【００１８】
ヒンジ部２３は、操作部２１の他端部２１ｂと表示部２２の他端部２２ｂとを連結しており、このヒンジ部２３により操作部２１と表示部２２とが一端部２１ａと一端部２２ａとを相対的に近接／離間させるように回動可能になっている。すなわち、携帯電話機２０は、操作部２１と表示部２２とを厚さ方向に重ね合わせた状態に折り畳み可能である。
【００１９】
図２は、操作部２１の構成を示す分解斜視図である。操作部２１は、第１筐体２８と第２筐体２９とからなる操作側筐体３０（図１参照）と、外部に露出するように操作側筐体３０に取り付けられる操作ボタン２４と、操作側筐体３０の収容空間に収容されるキー基板３１と、シールドケース３４と、プリント基板４０とを備えている。
【００２０】
第１筐体２８は、断面が略コの字状に形成された部材であり、略矩形で平板状の主壁２８ａに複数の貫通孔２８ｂが形成され、主壁２８ａの周縁に沿って断面が略半円弧状の側壁２８ｃが形成されたものである。
【００２１】
第２筐体２９は、断面が略コの字状に形成された部材であり、略矩形で平板状の主壁２９ａに不図示のバッテリーの取り出し部２９ｂが形成され、主壁２９ａの周縁に沿って主壁２９ａと直交するように側壁２９ｃが突出するように形成されたものである。
【００２２】
操作側筐体３０は、第１筐体２８の主壁２８ａと第２筐体の主壁２９ａとが対向した状態で、側壁２８ｃと側壁２９ｃとの互いの端部を突き合わせた状態で固定されて、これにより形成される内部空間に上記プリント基板４０等を収容している。第１筐体２８の貫通孔２８ｂに勘合して外部に露出するように、テンキーやカーソルキー等からなる操作ボタン２４が第１筐体２８に取り付けられている。
【００２３】
キー基板３１は、フレキシブル基板３２上にスイッチシート３３が設けられたものである。フレキシブル基板３２は、矩形状の本体部３２ａと、この本体部３２ａの対向する一組の短辺のうち一方の短辺の３２ｂの一部から本体部３２ａの長手方向に延設された帯状の伝送部３２ｃとを備えている。
【００２４】
スイッチシート３３は、各操作ボタン２４の位置に対応して複数のキースイッチ３３ａが配置されたシートであり、フレキシブル基板３２に重ねて設けられている。すなわち、操作ボタン２４を主壁２８ａの直交方向に押下すると押下した操作ボタン２４に対応するキースイッチ３３ａが変形し、キースイッチ３３ａ内の接触部とフレキシブル基板３２の導体層とが電気的に接触して、この接触状態に基づく電気信号が伝送部３２ｃを介してプリント基板４０に伝送されるようになっている。
【００２５】
シールドケース３４は、導電性を有する金属製の板状部材であり、キー基板３１が重ねられた主板３４ａとプリント基板４０の略周縁の形状に対応した位置から主板３４ａに直交する方向に突出する支持壁３４ｂとを備える。また、この支持壁３４ｂは、プリント基板４０に対する接合面が大きくなるように形成された主支持部３４ｃ，３４ｄを備えている。これら主支持部３４ｃ，３４ｄは、操作ボタン２４にされた押下を支持する主要な部位となっている。
【００２６】
すなわち、このシールドケース３４は、支持壁３４ｂの短部をプリント基板４０に突き合わせるように固定されており、主板３４ａによりキー基板３１を支持すると共に操作ボタン２４を介して押下されたキースイッチ３３ａを適切に変形させる。また、主板３４ａ及び支持壁３４ｂによりプリント基板４０に実装される電子部品１０を覆って外部からの電磁波を遮断している。このシールドケース３４は、ネジ止めによってプリント基板４０に固定されている。
【００２７】
プリント基板４０は、略矩形板状のものであり、各種電子部品１０やこれら電子部品１０を電気的に接続する信号線６０が実装される実装面１２を備えている。また、各種電子部品１０及び信号線６０の周囲にグランドパターン５０が形成されている。電子部品１０は、具体的には、送信部や受信部を構成するトランジスタやコンデンサ等の各種素子や、制御部を構成するＣＰＵ等の各種素子である。これら各電子部品１０には、バッテリー（不図示）から電力が供給されるようになっている。また、実装面１２上には、上述したキー基板３１の伝送部３２ｃが挿し込まれ電気的に接続されるコネクタ１１が一方の短辺側に備えられている。
【００２８】
図３は、図２におけるプリント基板４０の拡大平面図であり、実装面１２上のコネクタ１１とこの周囲に形成されたグランドパターン５０の概略配置を示している。プリント基板４０の実装面１２上には、コネクタ１１が図示左右方向に長手を有する矩形状に設けられている。コネクタ１１上の図示上側の長手方向に併設して複数の電極１３が図示上下方向に長手を有する矩形状に設けられている。また、コネクタ１１の図示上側に、コネクタ１１の長手方向と平行して、グランドパターン５０が図示左右方向に延在して設けられている。
【００２９】
なお、本実施形態では、実装面１２上にはコネクタ１１以外にも複数の電子部品１０がグランドパターン５０に囲まれて設けられているが、コネクタ１１を例に挙げている。
【００３０】
グランドパターン５０は、コネクタ１１の周囲に形成されたグランドパターンの本線部５１と、グランドパターンの本線部５１の内側（電子部品１０が設けられた側）から電子部品１０が設けられた側に向けて突起する先端部５２ａを有する複数の第１突起部５２を備えている。第１突起部５２は、グランドパターンの本線部５１の内側に接する底辺部（破線部）５２ｂと、底辺部５２ｂと先端部５２ａを結ぶ斜辺部５２ｃ，５２ｄとを備え、例えば三角形形状などのコネクタ１１側に向けて細くなるような形状に設けられている。第１突起部５２の一対の斜辺部５２ｃ，５２ｄは、互いに９０度以下で交差している。
【００３１】
グランドパターン５０とコネクタ１１の配置寸法としては、グランドパターン５０の端辺とコネクタ１１までの距離Ｌａは０．５ｍｍ以上とするのが好ましい。また、グランドパターン５０の端辺と第１突起部５２の先端部５２ａまでの距離Ｌｂは０．３ｍｍ以上とするのが好ましい。また、第１突起部５２のピッチＬｐは底辺部５２ｂの長さよりも、底辺部５２ｂから先端部５２ａまでの距離のほうが長くなるように設定するのが良い。
【００３２】
なお、本実施形態の第１突起部５２の形状は三角形形状としているが、底辺部５２ｂと、底辺部５２ｂと先端部５２ａを結ぶＲ状のなだらかな斜辺部（曲辺部）とからなる尖頭形状としても良い。その場合、曲辺部は突起部の内側に湾曲した湾曲形状を有しており、曲辺部の接線と底辺部５２ｂとの成す角度は、底辺部５２ｂから先端部５２ａに向かうにつれて徐々に大きくなるように形成されるのが良い。
【００３３】
なお、第１突起部５２の形状は、コネクタ１１側に上辺部を備え、底辺部５２ｂと上辺部とを結ぶ斜辺部とからなる台形形状としても良い。その場合、一対の斜辺部は互いに９０度以下で交差するように形成されるのが良い。
【００３４】
なお、本実施形態のグランドパターン５０の第１突起部５２は、コネクタ１１の長手方向に平行して連続して複数設けられているが、局所的に設けても良い。より具体的には、コネクタ１１の近傍のみ第１突起部５２を設け、コネクタ１１が近くにないところは第１突起部５２を設けずに本体部５１のみとしても良い。
【００３５】
図４は、図２におけるプリント基板４０の拡大平面図であり、実装面１２上の電子部品１０、信号線６０及びこれらを囲むグランドパターン５０の概略配置を示している。プリント基板４０の実装面１２上には、電子部品１０が図示左右方向に長手を有する矩形状に設けられている。また、電子部品１０の図示上側に、電子部品１０の長手方向と平行して、グランドパターン５０が図示左右方向に延在して設けられている。グランドパターンの本線部５１の電子部品１０が設けられた側には、複数の第１突起部５２が設けられている。
【００３６】
また、実装面１２上には、電子部品１０のグランドパターン５０が設けられた側の長辺に信号線６０が接続されている。信号線６０は、グランドパターンの本線部５１に沿うように図示左右方向に延在する信号線の本線部６１と、信号線の本線部６１の第１突起部５２に対向する位置に突起する複数の信号線の突起部６２とを備えている。
【００３７】
なお、本実施形態の信号線６０の信号線の突起部６２は、グランドパターン５０の第１突起部５２と対向する位置に局所的に３箇所設けられているが、１箇所または２箇所のみでも４箇所以上連続して設けられていても良い。
【００３８】
本実施形態のプリント基板４０によれば、グランドパターン５０の内側からコネクタ１１（電子部品１０）側に向けて突起した第１突起部５２を設けているので、グランドパターン５０の外側に突起形状を設けるよりも、よりコネクタ１１に近いところで第１突起部５２から静電気を吸収することができる。したがって、プリント基板４０の内側に実装された回路や電子部品１０への静電気の影響をより防ぐことが可能となる。
【００３９】
また、この構成によれば、第１突起部５２はコネクタ１１側に向けて細くなっており、第１突起部５２の先端部５２ａが尖っているので、その尖った部分へ電界が集中し、より静電気を吸収することができる。
【００４０】
また、この構成によれば、第１突起部５２の一対の斜辺部５２ｃ，５２ｄの成す角度は９０度以下であり、先端部５２ａがより尖っているので、よりその尖った部分へ電界が集中し、より静電気を吸収することができる。
【００４１】
また、この構成によれば、信号線６０は信号線の本線部６１のグランドパターン５０の第１突起部５２に対向する位置に突起した信号線の突起部６２を備えているので、グランドパターン５０で吸収しきれず信号線６０に飛び込んだ静電気をグランドに逃がすことができ、より信号線６０を保護することが可能となる。
【００４２】
（変形例１）
図５は、プリント基板４０Ａの他の構成例を示す平面図である。なお、図３に示したプリント基板４０と同様の構成については、同一の符号を付し、詳細な説明は省略する。
【００４３】
第１突起部５２は、コネクタ１１（電子部品１０）が設けられた側に第２突起部５３を備えている。この第２突起部５３は、例えば半田ボールから形成されている。
【００４４】
なお、本変形例の第２突起部５３は、コネクタ１１の長手方向に平行して連続して複数設けられているが、局所的に設けられていても良い。より具体的には、コネクタ１１の近傍のみ第２突起部５３を設け、コネクタ１１が近くにないところは第２突起部５３を設けずにグランドパターン５０のみとしても良い。
【００４５】
なお、本変形例の第２突起部５３はコネクタ１１の高さ方向と同じ方向に突出して形成されているが、斜めに突出して形成されていても良い。すなわち、実装面１２上から離間する方向に突出して形成されていれば良い。
【００４６】
本変形例のプリント基板４０Ａによれば、第１突起部５２の先端部５２ａにコネクタ１１（電子部品１０）の高さ方向に突出した第２突起部５３を備えているので、第２突起部５３に電界が集中し、高さのあるコネクタ１１や立体的なコネクタ１１が設けられていても、より好適に静電気を吸収することができる。
【００４７】
また、グランドパターンの本線部５１をコネクタ３側に設け、第１突起部５２をプリント基板４０Ａの外周縁側に設けても良い。
【００４８】
また、上述した実施形態では、携帯端末として携帯電話機を例に挙げて述べたが、ＰＨＳ端末、ＰＤＡ、デジタルカメラ、ノート型パーソナルコンピュータ、ゲーム機などにも適用することができる。
【図面の簡単な説明】
【００４９】
【図１】本発明の一実施形態に係る携帯電話機の外観斜視図である。
【図２】携帯電話機の操作部の構成を示す分解斜視図である。
【図３】図２におけるプリント基板の平面図である。
【図４】図３に続くプリント基板の平面図である。
【図５】プリント基板の他の構成例を示す平面図である。
【符号の説明】
【００５０】
１０…電子部品、１２…実装面、２０…携帯電話機（携帯端末）、４０，４０Ａ…プリント基板、５０…グランドパターン、５１…グランドパターンの本線部、５２…第１突起部、５２ｃ，５２ｄ…斜辺部、５３…第２突起部、６０…信号線、６１…信号線の本線部、６２…信号線の突起部
【図１】
2010034420.tif 000003
【図２】
2010034420.tif 000004
【図３】
2010034420.tif 000005
【図４】
2010034420.tif 000006
【図５】
2010034420.tif 000007